(57)【要約】【課題】  メダル貸出機の前面上部に設けた表示装置を開口部より突出させることによって、特に異常状態が発見し易くなり、遠方からでも容易に報知表示している状態が素早くわかるように成したメダル貸出機を提供する。【解決手段】  遊技島のスロットマシンに隣接して設置されるメダル貸出機において、メダル貸出機の本体部の前面上部に、表示装置を手動又は自動により上下動する上下動機構と、該表示装置が出入りする開口部とを備え、上下動機構によって開口部から表示装置を突出させた位置で、正常状態若しくは異常状態を表示させる、構成とした。【選択図】      図１
2005334564.tif 000002
【特許請求の範囲】
【請求項１】
遊技島のスロットマシンに隣接して設置されるメダル貸出機において、
上記メダル貸出機の本体部の前面上部に、表示装置を手動又は自動により上下動する上下動機構と、該表示装置が出入りする開口部とを備え、上下動機構によって開口部から表示装置を突出させた位置で、正常状態若しくは異常状態を表示させる構成としたことを特徴とする、メダル貸出機。
【発明の詳細な説明】
【技術分野】
【０００１】
本発明は、遊技島のスロットマシンに隣接して設置されたメダル貸出機に関り、特にメダル貸出機の本体部の前面上部に、表示装置を手動又は自動により上下動する上下動機構と、表示装置が出入りする開口部とを備え、上下動機構によって開口部から表示装置を突出させた位置で、正常状態若しくは異常状態を表示させることによって遠方からでも店員等に表示装置の報知表示がわかるように成したメダル貸出機に関する。
【背景技術】
【０００２】
通常、パチンコ遊技店は、複数台１５台乃至２０台程度の遊技機と遊技媒体貸出機とを隣接して直線状に列設（背中合わせの横方向）させた遊技島が構築されている。上記遊技島は、パチンコ玉にて遊技する遊技機（パチンコ台）であれば、隣接する遊技媒体貸出機は、パチンコ玉貸出機が設置され、メダルにて遊技する遊技機（スロットマシン）であれば、隣接する遊技媒体貸出機は、メダル貸出機が設置されることになる。
【０００３】
遊技店の遊技島（スロットマシン設置島）には紙幣の投入に応じて所定枚数のメダルを払出すメダル貸出機が隔台の位置に設置されている。
メダル貸出機は、略長方形から成る本体部から成り、本体部には紙幣を投入する紙幣投入口と、内部に貯留したメダルを計数して払出すメダル払出し装置と、払出されたメダルを供給するメダル払出し部（メダル払出口）とから構成されている。
昨今のメダル貸出機は、スロットマシンの全台に隣接して設置され、メダル貸出機のメダル払出し部には、スロットマシンの下受皿に手を使わずに直接移し変えることができる供給樋付メダル払出し部が提供されている。
【０００４】
また、メダル貸出機の本体部（正面パネル）には、例えば内部に設けたメダル払出し装置等の正常状態、異常状態を点灯、点滅して報知するランプから成る表示装置が設けられている。
メダル払出し装置の状態において、払い出す際、噛み込みによる払い出しトラブルになった場合、点灯から点滅表示にして報知したり、青色点灯から赤色点灯表示にて報知していた。また、メダル払出し装置内に貯留しているメダルの量が減少してくると、センサ（不図示）にて検知し、補給要求するように報知する。補給要求の場合も同様に点灯から点滅表示にして報知したり、青色点灯から赤色点灯表示にて報知していた。
上記メダル貸出機の本体部の表示装置は、本体部において、何らかのトラブル等が生じた場合、表示装置を報知させることによって店員に早く発見させるため設けられている。
例えば、メダル貸出機の本体部の正面パネルに正常状態、異常状態を表示装置にて表示する構成のものが、下記の特許文献にて開示されている。
【０００５】
【特許文献１】実用第２５３９４４０号公報（実開平２−２７２９１）
【特許文献１】特許第２７１７８４９号公報（特開平２−３１０６９１）
【０００６】
上記特許文献１のメダルサンドの本体部（前面上部）に電源ランプ、警告ランプが設けられ、各ランプは正常、異常状態に応じて色（赤色、青色）や点灯、点滅を異なる周期のパターンで表示して、その異常の種類を報知させるように構成されている。
【０００７】
上記特許文献２のメダル貸機の本体部（前面パネル）に表示ユニットが設けられている。
該表示ユニット（状態表示手段）は、状態を可視表示するためのものであり、識別灯（警告灯）およびコードディスプレイから成している。異常の場合、警告灯を点灯させ、コードディスプレイに各トラブルの内容に応じた種類の表示（例えばＥ５）を報知させるように構成されている。また、この表示ユニット（識別灯）が前面パネルから僅かに突出して装着されている。
【発明の開示】
【発明が解決しようとする課題】
【０００８】
しかし、通常のスロットマシンの筐体（正面扉）は、デザイン等により略中央の停止ボタン付近が膨らむように形成されていることから、遊技島に設置されたスロットマシンに隣接するメダル貸機は、図１に示すように左右のスロットマシンの筐体より幾分下がった位置に設置されることになる。
このように、スロットマシンの筐体より幾分下がった位置に設置されたメダル貸出機において、上述したように本体部（前面パネル）に表示装置が設けられているが、スロットマシンの筐体によって死角になってしまい島端の通路の遠方からでは店員が発見し難く、異常状態の対応が遅くなっていた。そのため、遊技客に多大な迷惑をかけてしまい、サービス低下になっていた。また、正常状態の時であっても、状況がわかりにくかった。
【０００９】
上述した各特許文献においても、メダル貸出機の本体部（前面パネル）に表示装置を設け、点灯、点滅表示等するよう構成しているが、スロットマシンの筐体によって死角になって隠れてしまうため、異常状態の時、報知表示しても遠方の店員はわからず気がつくのが遅れてしまい、そのため発見が遅れてしまう課題を有していた。
【００１０】
本発明は、以上の点に鑑みなされたもので、メダル貸出機の前面上部に設けた表示装置を開口部より突出させることによって、特に異常状態が発見し易くなり、遠方からでも容易に報知表示している状態が素早くわかるように成したメダル貸出機を提供する。
【課題を解決するための手段】
【００１１】
上記目的は、遊技島のスロットマシンに隣接して設置されるメダル貸出機において、
上記メダル貸出機の本体部の前面上部に、表示装置を手動又は自動により上下動する上下動機構と、該表示装置が出入りする開口部とを備え、上下動機構によって開口部から表示装置を突出させた位置で、正常状態若しくは異常状態を表示させる構成としたことによって達成される。
【発明の効果】
【００１２】
本発明の構成によれば、メダル貸出機の本体部の前面上部に、表示装置を手動又は自動により上下動する上下動機構と、該表示装置が出入りする開口部とを備え、該開口部から表示装置を突出させた位置で、正常状態若しくは異常状態を表示させることができる。
よって、例えば正常、異常状態を隣接するスロットマシンの筐体より上方に突出させることができるため、遠方からでも今まで以上に目立つように成る。その結果、今まで、スロットマシンの筐体によって死角になって隠れてしまい、特に異常状態の時、発見が遅れてしまっていたが、店員が表示装置の報知表示を容易に発見することが出来、素早く対応することができることによって遊技客に対して迷惑をかけることが少なくなる。また、上方に突出した正常状態の表示装置にて状況を把握することができる。
【発明を実施するための最良の形態】
【００１３】
以下、図面に示した実施形態を詳細に説明する。図１は本発明のスロットマシンとメダル貸出機を示す斜視図である。
【実施例１】
【００１４】
図１に示す通常形態（周知構成）のスロットマシンについて説明する。
遊技島に設置されたスロットマシン１は、その前面右側にメダル投入口２と遊技操作部（停止ボタン３及びスタートボタン４）とを有しており、遊技客がメダル投入口２にメダルを投入し、スタートボタン４を操作すると筐体１ａ内部の回胴リール装置（不図示）が回胴し、遊技者が複数個の停止ボタン３を順次操作（ストップ操作）することにより遊技が行われる。筐体１ａの下方には、メダルを貯留しておくための下受皿５が設けられている。図示したようにスロットマシン１の筐体１ａはデザインにより略中央の停止ボタン３付近が膨らむように形成されている。なお、遊技結果によって、この下受皿５にメダルを円滑に払い出すために筐体１ａ内部に大型のメダル払出し装置（不図示）が設けられている。
【００１５】
先ず、通常形態（周知構成）のメダル貸出機の構成について説明する。
メダル貸出機１０は、スロットマシン１に隣接して設置され、約１００ミリ幅の略長方形状から成る本体部１０ａから成り、該本体部１０ａは、正面上方に紙幣を投入する紙幣投入口１１（紙幣収納付紙幣識別装置１１ａ）と、中央に補給用扉１２と、正面下方にメダルを払出す供給樋付メダル払出し部１３（メダル払出口）とが設けられ、この供給樋付メダル払出し部１３にメダルを送り出すメダル払出し装置１９が内部に設けられている。
図８に示すメダル払出し装置１９は、約２０００枚程度のメダルが貯留する大きさ、深さになっている。さらに内部には制御部（不図示）が設けられ、投入された紙幣に応じたメダルを払出すように制御している。このようにメダル貸出機１０は、スロットマシン１の全台に隣接して設置され、メダル貸出機１０の本体部１０ａに設けた供給樋付メダル払出し部１３によって、スロットマシン１の下受皿５に手を使わずに直接移し変えることができる。
【００１６】
始めに、本発明の第一実施形態のメダル貸出機１０について説明する。
図２乃至図５に示す、メダル貸出機１０は上記通常形態とは下記する点で異なる構成が設けられている。
メダル貸出機１０の本体部１０ａの前面上部（スペース）に、表示装置１５を手動により上下動する上下動機構１７と、表示装置１５が出入りする開口部１０ｂが設けられていて、表示装置１５を突出させた位置で正常状態若しくは異常状態を表示させている点が要旨となる。なお、表示装置１５を突出させない位置でも正常状態若しくは異常状態を透明版１０ｃより点灯、点滅表示することもできる（図２）。
ここでの上下動機構１７は、手動にて行うように構成されている。
【００１７】
図２及び図３は、開口部１０ｂから表示装置１５が突出していない状態を示し、図４及び図５は、開口部１０ｂから表示装置１５が上面より突出した状態を示している。
前面上部の開口部１０ｂは、細幅の長方形に形成されている。この開口部１０ｂに近接して上下動（スライド自在）する上下動機構１７が設けられている。例えば、上下動機構１７は、両端のコの字状のガイド片１７ａに挟まれ、ガイド片１７ａに沿って表示装置１５が上下動するように成している。
よって、下方位置（略上面と面一）にあった表示装置１５を上方位置に引き出して本体部１０ａの上面より突出させて保持させることができる。なお、出荷時は、表示装置１５が破損しないように開口部１０ｂから突出しない位置で梱包し、遊技島に設置する際、手動操作にて開口部１０ｂから表示装置１５を上面位置に突出させた位置にしてから施工する。
表示装置１５は、点灯ランプ等から成り、点灯表示、点滅表示したり、点灯ランプを様々な色変化（例えば、赤色、青色、緑色、黄色等）させて表示するよう電気的に接続されている。また、色変化による演出表示やサービス表示（遊技客向けの報知表示）や機器の異常該当箇所を色別にして表示するようにしても良い。
【００１８】
第一実施形態の作用（動作）について説明する。
ここでは、正常状態若しくは異常状態を示す表示装置１５が、隣接するスロットマシン１の筐体１ａより上方に突出させて表示することができるため、死角にならず、遠方からでも今まで以上に目立つように成る。その結果、今まで異常時の発見が遅れてしまっていたが、店員に表示装置１５の報知表示が発見し易くなり、素早く対応することができるようになる。また、上方に突出した正常状態の表示装置１５にて状況を把握することができる。なお、スロットマシン及びメダル貸出機において、不正された場合も同様に突出した表示装置に表示させるようにしても良い。さらに、手動による上下動機構によって、遊技店側の好みにより選択（オプション選択）ができる。遊技店によって必要と判断した時のみ本発明を実施することができる。
【００１９】
次に、本発明の第二実施形態のメダル貸出機２０について説明する。
メダル貸出機２０の本体部２０ａの前面上部（スペース）に、表示装置２５を自動により上下動する上下動機構２７と、表示装置２５が出入りする開口部２０ｂが設けられていて、表示装置２５を突出させた位置で異常状態のみ表示させる点が要旨となる。
正常状態の時は、表示装置２５を突出させない位置で透明版１０ｃより点灯、点滅表示させている。なお、表示装置２５が突出していない状態の図は省略する。
ここでの上下動機構２７は、自動（駆動構造）にて行うように構成されている。
【００２０】
図６及び図７は開口部２０ｂから表示装置２５が上面より突出した状態を示している。
メダル貸出機２０の本体部２０ａの前面上部には開口部２０ｂが設けられ、該開口部２０ｂは、細幅の長方形に形成されている。この開口部２０ｂに近接して上下動（駆動モータの駆動によってスライド）する上下動機構２７が設けられている。例えば、上下動機構２７は、前後のガイド片２７ａに挟まれ、裏側のガイド片２７ａに噛合部材２７ｂが設けられ、伝達歯車２７ｃを介して駆動モータ２７ｅの駆動歯車２７ｄと噛み合うように構成され、駆動モータ２７ｅの駆動歯車２７ｄの正逆回転に伴って歯車と噛合部材２７ｂとが伝達することにより、ガイド片２７ａに沿って表示装置２７が上下に駆動するように成している。なお、ここで説明した自動（駆動構造はモータ以外のソレノイド等でも可）による上下動機構に限定されるものない。
【００２１】
よって、正常時、下方位置にあった表示装置２５は、異常時の時、上下動機構２７が駆動すると上方位置となり本体部２０ａの上面より突出させて停止保持させることができる。つまり、駆動モータ２７ｅにより駆動する上下動機構２７は、本体部２０ａにおいて、何らかのトラブル等が生じた場合のみ（例えば、メダル払出し装置の噛み込み時、補給要求時の出力信号）に応じて作動制御する。なお、出荷時は、表示装置２５が破損しないように開口部２０ｂから突出しない位置（下方位置）で梱包されている。
表示装置２５は、点灯ランプ等から成り点灯表示、点滅表示したり、点灯ランプを様々な色変化（例えば、赤色、青色、緑色、黄色等）させて表示するよう電気的に接続されている。また、色変化による表示識別としては、演出表示やサービス表示（遊技客向けの報知表示）や機器の異常該当箇所を色別にして表示するようにしても良い。
【００２２】
第二実施形態の作用（動作）について説明する。
ここでは、異常状態の時だけ、異常出力信号に応じて上下動機構２７を作動制御させている。
異常状態を示す表示装置２５が、隣接するスロットマシン１の筐体１ａより上方に突出させて表示することができるため、死角にならず、遠方からでも今まで以上に目立つように成る。その結果、今まで異常時の発見が遅れてしまっていたが、店員に表示装置２５の報知表示が発見し易くなり、素早く対応することができるようになる。なお、正常状態時（通常時）は突出しない位置で表示装置２５を透明版１０ｃから点灯、点滅することにより、状況を把握することができる。
また、スロットマシン及びメダル貸出機において、不正された場合においても同様に異常として検出し、突出させて表示させるようにしても良い。
【００２３】
なお、上記説明においては、表示装置２５を異常状態時のみ、検出して突出させるよう上下動機構２７を駆動させる説明としたが、正常状態若しくは異常状態の何れの時も表示装置２５を突出させ停止保持させて表示させるようにしても良い。
【００２４】
本発明のメダル貸出機１０（２０）においては、本体部１０ａ内部の下方にメダル払出し装置１９が備えられている（図８参照）。該メダル払出し装置１９は、約２０００枚程度のメダルが貯留する大きさ、深さの貯留容器１９ａと、回転駆動する円盤を有した払い出し部１９ｂとから構成されている。
メダル払出し装置１９は、投入された紙幣の金額に応じて払い出すように成している。
例えば、千円紙幣を投入し、識別部にて正紙幣と識別すると、所定枚数（５０枚）のメダルを払い出し部１９ｂから払い出すことになる。払い出す際、払い出し部１９ｂの通過検出部（不図示）にてカウントしている。
【００２５】
メダル貸出機１０（２０）のメダル払出し装置１９の排出口１９ｄ付近には、詰まり検出部１９ｃが設けられている。詰まり検出部１９ｃは、例えば反射センサ等から成り、供給樋付メダル払出し部１３や払い出し部１９ｂ内において発生した噛み込みによるトラブルを検出し、払い出し枚数を正確にカウントして売り上げを出力するためのものである。
ところで、メダル貸出機１０の売り上げを外部機関（第三者管理機関）にて管理する場合、各メダル貸出機１０の売り上げは、中継装置及びサーバー管理装置を介して通信回線にて接続し外部機関に送信されることになる。
今までは、供給樋付メダル払出し部１３で詰まった場合、詰まり検出部１９ｃが設けられていないと通過検出部で誤カウントしてしまい、その誤カウントしたエラーデータが外部機関に送信されていた。
そこで、上述したようにメダル払出し装置１９の排出口１９ｄ付近に詰まり検出部１９ｃを設けることによって、供給樋付メダル払出し部１３で詰まった場合、通過検出部を停止させて誤カウントしないようにすることで、誤カウントしたエラーデータが外部機関に送信されることがなくなる。
【００２６】
以上説明した本発明のメダル貸出機１０（２０）は、紙幣（流通紙幣）として説明したが、紙幣以外の他にＩＣカードやＩＣコインを使用したメダル貸出機に採用しても良く、また、ここでのメダル貸出機１０（２０）は、本体部の内部にメダルを払出すメダル払出し装置１９を備えた構成としたが、隣接するスロットマシン１内のメダル払出し装置から直接払い出すように成したＣＲメダル貸出機も含まれる。また、メダル貸出機でなく、パチンコ玉貸出機に採用しても良い。
上述で説明した異常状態は、本体部内に設けたメダル払出し装置によるトラブルとして説明したが、本体部に設けられた他の機器（紙幣収納付紙幣識別装置での紙幣詰まり等）によるトラブルの際、色を変化させて表示装置にて表示させても良い。
【図面の簡単な説明】
【００２７】
【図１】本発明のスロットマシンとメダル貸出機を示す斜視図である。
【図２】第一実施形態のメダル貸出機の正面図である。
【図３】同上、上下動機構の要部を示す側面図である。
【図４】第一実施形態のメダル貸出機であり、表示装置が突出した状態を示す正面図である。
【図５】同上、上下動機構の要部を示す側面図である。
【図６】第二実施形態のメダル貸出機であり、表示装置が突出した状態を示す背面斜視図である。
【図７】同上、上下動機構を示す要部拡大図である。
【図８】メダル貸出機の本体部に設けたメダル払出し装置を示す斜視図である。
【符号の説明】
【００２８】
１      スロットマシン
１０    メダル貸出機（第一実施形態）
１０ａ  本体部
１０ｂ  開口部
１１    紙幣投入口
１５    表示装置
１７    上下動機構（第一実施形態）
１９    メダル払出し装置
２０    メダル貸出機（第二実施形態）
２０ａ  本体部
２０ｂ  開口部
２１    紙幣投入口
２５    表示装置
２７    上下動機構（第二実施形態）
【図１】
2005334564.tif 000003
【図２】
2005334564.tif 000004
【図３】
2005334564.tif 000005
【図４】
2005334564.tif 000006
【図５】
2005334564.tif 000007
【図６】
2005334564.tif 000008
【図７】
2005334564.tif 000009
【図８】
2005334564.tif 000010